(57)【要約】    【課題】      変調信号の歪みを低減することができる送信装置を提供すること。    【解決手段】  本発明の送信装置１００は、位相データを位相変調して位相変調信号を出力する位相変調部１０４と、位相変調部１０４からの前記位相変調信号の電力増幅を行う非線形増幅部１０５と、振幅データの直流成分を調整して調整後の前記振幅データを出力する直流成分調整部１０７と、直流成分調整部１０７からの前記振幅データを振幅変調して非線形増幅部１０５に印加する電源電圧を制御するための振幅変調信号を出力する振幅変調部１０３と、を具備する。直流成分調整部１０７は、直流成分補正値を振幅データに加算することにより振幅データの直流成分を調整する。  【選択図】      図１
2005260861.tif 000002
【特許請求の範囲】
【請求項１】
位相データを位相変調して位相変調信号を出力する位相変調手段と、
前記位相変調手段からの前記位相変調信号の電力増幅を行う増幅手段と、
振幅データの直流成分を調整して調整後の前記振幅データを出力する直流成分調整手段と、
前記直流成分調整手段からの前記振幅データを振幅変調して前記増幅手段に印加する電源電圧を制御するための振幅変調信号を出力する振幅変調手段と、
を具備する送信装置。
【請求項２】
前記直流成分調整手段からの前記振幅データの直流成分を抽出して抽出直流成分を前記直流成分調整手段に与える直流成分抽出手段を具備し、
前記直流成分調整手段は、前記抽出直流成分の信号レベルを小さくするように前記振幅データの前記直流成分を調整する請求項１に記載の送信装置。
【請求項３】
前記増幅手段の出力信号から希望波の帯域以外の特定の周波数成分を抽出して抽出周波数成分を生成して前記直流成分調整手段に与える特定周波数成分抽出手段を具備し、
前記直流成分調整手段は、前記抽出周波数成分の信号レベルを小さくするように前記振幅データの前記直流成分を調整する請求項１に記載の送信装置。
【請求項４】
ローカル信号を生成するローカル信号生成手段と、前記増幅手段の出力信号と前記ローカル信号生成手段からの前記ローカル信号とを合成して合成信号を生成する合成手段と、前記合成手段の前記合成信号から希望波の帯域以外の特定の周波数成分を抽出して抽出周波数成分を生成して前記直流成分調整手段に与える特定周波数成分抽出手段を具備し、
前記直流成分調整手段は、前記抽出周波数成分の信号レベルを小さくするように前記振幅データの前記直流成分を調整する請求項１に記載の送信装置。
【発明の詳細な説明】
【技術分野】
【０００１】
本発明は、振幅データ及び位相データを変調して振幅変調信号及び位相変調信号を生成しこれらの振幅変調信号と位相変調信号とを合成して送信する送信装置に関する。
【背景技術】
【０００２】
無線通信システムの送信装置の出力部に設けられる電力増幅器は、低歪みと高効率の両立が要求される。電力増幅器には、トランジスタを電流源として使うかスイッチとして使うかという分類がある。トランジスタを電流源として使う増幅器にＡ級増幅器、ＡＢ級増幅器、Ｂ級増幅器及びＣ級増幅器がある。また、トランジスタをスイッチとして使う増幅器にＤ級増幅器、Ｅ級増幅器及びＦ級増幅器がある。
【０００３】
従来、包絡線変動成分を含む変調信号を増幅する高周波電力増幅器には、包絡線変動成分を線形に増幅するためにＡ級ないしはＡＢ級の線形増幅器が用いられてきた。しかし、線形増幅器の電力効率はＣ級ないしＥ級などの非線形増幅器に比べ電力効率が劣るという欠点があった。
【０００４】
このため、従来の増幅器を電池を電源とする携帯電話機、携帯情報端末装置などの携帯型の無線装置に用いた場合、使用時間が短くなるという短所があった。また、従来の増幅器を大電力の送信装置を複数設置する移動体通信システムの基地局装置に用いた場合、装置の大型化や発熱量の増大を招くという短所があった。
【０００５】
そこで、高効率の送信機能を有する送信装置として、振幅位相抽出部と、振幅変調部と、位相変調部と、非線形増幅部とを備えているものがある。この送信装置として、非線形増幅部に一定の包絡線レベルの信号を受けて高周波増幅器として効率の良い非線形増幅器を使用する構成としたＥＥ＆Ｒ（Envelope Elimination and Restoration）送信装置が提案されている。また、送信装置として、負帰還により非線形増幅器の包絡線信号の非線形性を補償して振幅歪みを抑圧するものも知られている。
【０００６】
図１３は、第１従来例として上記のようなＥＥ＆Ｒ送信装置の構成を示すブロック図である。この第１従来例の送信装置は、送信データ入力端子１と、振幅位相抽出部２と、振幅変調部３と、位相変調部４と、非線形増幅部５と、送信出力端子６と、を備えている。
【０００７】
図１３において、送信データ入力端子１より入力された送信データ信号Si(t)を、
Si(t)＝a(t)exp[j φ(t)] …（１）
とすると、振幅位相抽出部２によりSi(t)から振幅データa(t)と位相データexp[j φ(t)]が抽出される。この振幅データa(t)に基づき、振幅変調部３により非線形増幅部５の電源電圧値が設定される。
【０００８】
一方、位相変調部４により搬送波角周波数ωc を位相データexp[j φ(t)]で変調させた信号が生成されてScとなり、非線形増幅部５に入力される。
Sc＝exp[ ωct＋ φ(t)] …（２）
【０００９】
非線形増幅部５の出力には、非線形増幅部５の電源電圧値a(t)と位相変調部４の出力信号を掛け合わせた信号が非線形増幅部５の利得Ｇだけ増幅されたＲＦ信号Srf が出力される。
Srf＝Ga(t)Sc＝Ga(t)exp[ ωc t＋ φ(t)] …（３）
【００１０】
以上のように、非線形増幅部５に入力される信号は一定の包絡線レベルの信号であるので、高周波増幅器として効率の良い非線形増幅器を使用できるので高効率の送信装置とすることができる。
【００１１】
この第１従来例において、振幅変調部３は、例えばＤＡ（ディジタルアナログ）変換部、パルス幅変調部、スイッチ、低域通過フィルタを順に直列接続し、スイッチに電源電圧を入力する構成を用いる。この振幅変調部３では、ディジタル値である振幅データがＤＡ変換部でアナログ信号に変換され、パルス幅変調部でパルス幅変調される。スイッチは、パルス幅変調部のパルス出力に応じてスイッチングされる。スイッチの出力は低域通過フィルタで平滑化されて振幅変調信号となり、非線形増幅部５の電源電圧として印加される（例えば、非特許文献１参照）。
【００１２】
また、位相変調部４は、ＰＬＬ（Phase-Locked Loop）を用いた構成を採用する。すなわち、位相変調部４は、例えば位相周波数比較部、低域通過フィルタ、電圧制御発振器を順に直列接続し、電圧制御発振器の出力の一部を帰還信号として分周器を介して位相周波数比較部に帰還するＰＬＬを設け、さらに上記分周器にΔΣ（ デルタシグマ）変調部の出力を入力する構成とする。
【００１３】
この位相変調部４では、電圧制御発振器の出力を分周器で分周した信号の周波数と基準周波数とが位相周波数比較部で比較され、両者の差分が出力される。この位相周波数比較部の出力は、低域通過フィルタを通して電圧制御発振器の制御電圧となり、電圧制御発振器の出力が所定の位相、周波数でロックされる。上記のＰＬＬにおいて、位相データをデルタシグマ変調した信号に応じて分周器の分周比を変化させることにより、電圧制御発振器の出力に位相変調をかけることができる（例えば、非特許文献２参照）。
【００１４】
図１４は、第２従来例として負帰還を備えた送信装置の構成を示すブロック図である。この第２従来例の送信装置は、送信データ入力端子１と、振幅位相抽出部２と、振幅変調部３と、位相変調部４と、非線形増幅部５と、送信出力端子６と、方向性結合部７と、包絡線検波部８と、ＡＤ（アナログディジタル）変換部９と、加算部１０と、増幅部１１と、を備えて構成される。なお、図１３に示す送信装置と同一の構成要素には同一の符号を付している。
【００１５】
次に、第２従来例の送信装置の動作を説明する。第２従来例の送信装置は、図１３に示す第１従来例の送信装置と同様の動作に加え、非線形増幅部５の出力であるＲＦ信号の包絡線成分の帰還を行う。非線形増幅部５の出力は方向性結合部７により分岐され、包絡線検波部８に入力されてＲＦ信号の包絡線信号が検波される。検波された包絡線信号はＡＤ変換部９でアナログディジタル変換され、加算部１０で元の振幅データから減算された後、増幅部１１で増幅されて振幅変調部３に入力される。
【００１６】
以上のような負帰還により、非線形増幅部５の包絡線信号の非線形性を補償して振幅歪みを抑圧することができる（例えば、非特許文献３参照）。
【非特許文献１】Peter B．Kenington, 「HIGH-LINEARITY RF AMPLIFIER DESIGN」第１版, ARTECH HOUSE,INC., 2000 年, p.426-443
【非特許文献２】R. A. Meyers and P. H. Waters, 「Synthesizer review for PAN-European digital cellular radio」poc.IEE Colloquium on VLSI Implementations for 2nd Generation Digital Cordless and Mobile Telecommunications Systems, 1990 年, p.8/1-8/8
【非特許文献３】Peter B. Kenington, 「HIGH-LINEARITY RF AMPLIFIER DESIGN」第１版, ARTECH HOUSE,INC., 2000 年, p.156-161
【発明の開示】
【発明が解決しようとする課題】
【００１７】
しかしながら、図１３及び図１４に示す第１従来例及び第２従来例の送信装置においては、振幅データに直流成分誤差が混入すると、振幅変調の変調度に誤差を生じるため、出力信号である変調信号に歪みを生じるという問題がある。
【００１８】
振幅データに直流成分誤差が混入する原因として、（１）振幅データそのものに直流成分誤差が含まれる場合、（２）途中の信号処理（例えば、パルス幅変調処理）で振幅変調信号に直流成分誤差が混入する場合、及び、（３）非線形増幅部の入出力特性に誤差があるためこの入出力特性の誤差が振幅データの直流成分誤差と等価な振る舞いをする場合がある。
【００１９】
本発明は、かかる点に鑑みてなされたものであり、変調信号の歪みを低減することができる送信装置を提供することを目的をする。
【課題を解決するための手段】
【００２０】
請求項１に記載の送信装置は、位相データを位相変調して位相変調信号を出力する位相変調手段と、前記位相変調手段からの前記位相変調信号の電力増幅を行う増幅手段と、振幅データの直流成分を調整して調整後の前記振幅データを出力する直流成分調整手段と、前記直流成分調整手段からの前記振幅データを振幅変調して前記増幅手段に印加する電源電圧を制御するための振幅変調信号を出力する振幅変調手段と、を具備する構成を採る。
【００２１】
この構成によれば、振幅データの直流成分を調整するため、変調信号の歪みを低減することができる。
【００２２】
請求項２に記載の送信装置は、請求項１に記載の発明において、前記直流成分調整手段からの前記振幅データの直流成分を抽出して抽出直流成分を前記直流成分調整手段に与える直流成分抽出手段を具備し、前記直流成分調整手段が、前記抽出直流成分の信号レベルを小さくするように前記振幅データの前記直流成分を調整する構成を採る。
【００２３】
この構成によれば、振幅データの直流成分を抽出して抽出直流成分を生成し、この抽出直流成分の信号レベルを小さくするように前記振幅データの直流成分を調整するため、変調信号の歪みを低減することができる。
【００２４】
請求項３に記載の送信装置は、請求項１に記載の発明において、前記増幅手段の出力信号から希望波の帯域以外の特定の周波数成分を抽出して抽出周波数成分を生成して前記直流成分調整手段に与える特定周波数成分抽出手段を具備し、前記直流成分調整手段が、前記抽出周波数成分の信号レベルを小さくするように前記振幅データの前記直流成分を調整する構成を採る。
【００２５】
この構成によれば、増幅手段の出力信号から希望波の帯域以外の特定の周波数成分を抽出して抽出周波数成分を生成しこの抽出周波数成分の信号レベルを小さくするように振幅データの直流成分を調整するため、変調信号の歪みを低減することができる。
【００２６】
請求項４に記載の送信装置は、請求項１に記載の発明において、ローカル信号を生成するローカル信号生成手段と、前記増幅手段の出力信号と前記ローカル信号生成手段からの前記ローカル信号とを合成して合成信号を生成する合成手段と、前記合成手段の前記合成信号から希望波の帯域以外の特定の周波数成分を抽出して抽出周波数成分を生成して前記直流成分調整手段に与える特定周波数成分抽出手段を具備し、前記直流成分調整手段が、前記抽出周波数成分の信号レベルを小さくするように前記振幅データの前記直流成分を調整する構成を採る。
【００２７】
この構成によれば、増幅手段の出力信号とローカル信号とを合成して合成信号を生成し、この合成信号から希望波の帯域以外の特定の周波数成分を抽出して抽出周波数成分を生成し、この抽出周波数成分の信号レベルを小さくするように振幅データの直流成分を調整するため、変調信号の歪みを低減することができる。
【発明の効果】
【００２８】
以上説明したように、本発明によれば、振幅データの直流成分を調整するため、変調信号の歪みを低減することができる。
【発明を実施するための最良の形態】
【００２９】
本発明の骨子は、振幅データの直流成分を調整して得られた前記振幅データを振幅変調して、位相変調信号を増幅する増幅手段に印加する電源電圧を制御するための振幅変調信号を出力することである。
【００３０】
以下、本発明の実施形態について図面を参照して説明する。
【００３１】
（実施の形態１）
図１は、本発明の実施の形態１に係る送信装置の構成を示すブロック図である。
【００３２】
本発明の実施の形態１に係る送信装置１００は、送信データ入力端子１０１、１０２、振幅変調部１０３、位相変調部１０４、非線形増幅部１０５、送信出力端子１０６、直流成分調整部１０７、制御部１０８及び操作部１０９を有している。
【００３３】
送信データ入力端子１０１より入力される振幅データは、直流成分調整部１０７を介して振幅変調部１０３に与えれる。振幅変調部１０３で振幅変調された振幅変調信号が非線形増幅部１０５に電源電圧として入力される。
【００３４】
また、送信データ入力端子１０２より入力される位相データは、位相変調部１０４で位相変調されて位相変調信号とされ、この位相変調信号が非線形増幅部１０５に入力信号として供給される。
【００３５】
非線形増幅部１０５は、半導体増幅素子を備え、高周波増幅器を構成するものである。この非線形増幅部１０５では、位相変調部１０４からの位相変調信号の電圧と電源電圧である振幅変調部１０３からの振幅変調信号の電圧とが掛け合わされ、所定の利得だけ増幅されたＲＦ信号が送信出力端子１０６より出力される。ここで、非線形増幅部１０５への入力信号は一定の包絡線レベルの信号であるので、高周波増幅器として効率の良い非線形増幅器を構成できる。
【００３６】
図２は、図１における振幅変調部１０３の構成例を示すブロック図である。振幅変調部１０３は、パルス幅変調部１０３１と、スイッチ１０３２と、電源電圧入力端子１０３３と、低域通過フィルタ１０３４と、を備えている。パルス幅変調部１０３１、スイッチ１０３２及び低域通過フィルタ１０３４は、順に直列接続されている。スイッチ１０３２には電源電圧入力端子１０３３より電源電圧が入力される。
【００３７】
この振幅変調部１０３では、アナログ値である振幅データがパルス幅変調部１０３１でパルス幅を変調される。スイッチ１０３２は、パルス幅変調部１０３１のパルス出力に応じてスイッチングされる。スイッチ１０３２の出力は低域通過フィルタ１０３４で平滑化されて振幅変調信号となり、非線形増幅部１０５の電源電圧として印加される。
【００３８】
なお、本発明の実施の形態１に係る送信装置１００は、図２に示す振幅変調部１０３以外の他の従来の振幅変調部を有するように構成してもよい。
【００３９】
図３は、図１における位相変調部１０４の構成を示すブロック図である。位相変調部１０４は、位相周波数比較部１０４１と、低域通過フィルタ１０４２と、電圧制御発振器（ＶＣＯ）１０４３と、分周部１０４４と、ΔΣ（デルタシグマ）変調部１０４５と、を備えている。この位相変調部１０４は、ＰＬＬ（Phase-Locked Loop）回路を用いた構成である。
【００４０】
位相周波数比較部１０４１、低域通過フィルタ１０４２及び電圧制御発振器１０４３は、順に直列接続されている。電圧制御発振器１０４３の出力の一部が帰還信号として分周部１０４４を介して位相周波数比較部１０４１に帰還されるＰＬＬが構成されている。さらに、分周部１０４４にはΔΣ（デルタシグマ）変調部１０４５の出力が入力される。
【００４１】
この位相変調部１０４では、電圧制御発振器１０４３の出力を分周部１０４４で分周した信号の周波数と基準周波数とが位相周波数比較部１０４１で比較され、両者の差分が出力される。この位相周波数比較部１０４１の出力は、低域通過フィルタ１０４２を通して電圧制御発振器１０４３の制御電圧となり、電圧制御発振器１０４３の出力が所定の位相及び周波数でロックされる。
【００４２】
前記ＰＬＬ回路において、位相データをデルタシグマ変調部１０４５でデルタシグマ変調した信号に応じて分周部１０４４の分周比を変化させることにより、電圧制御発振器１０４３の出力に位相変調をかけることができる。
【００４３】
このような送信装置１００における直流成分調整部１０７が無い場合には、振幅データに直流成分誤差が混入すると、振幅変調の変調度に誤差を生じるため、出力信号（ＲＦ信号）である変調信号に歪みを生じる。
【００４４】
そこで、本発明の実施の形態１に係る送信装置１００においては、直流成分調整部１０７が振幅変調部１０３の前段に設けられている。直流成分調整部１０７は、振幅データの直流成分を調整し、この調整した振幅データを振幅変調部１０３に与えている。
【００４５】
図４は、直流成分調整部１０７の１つの実施例を示すブロック図である。図４に示す直流成分調整部１０７は、振幅データがディジタル信号である場合のものである。
【００４６】
図４に示すように、直流成分調整部１０７は、加算器１０７１及びＤＡ変換器１０７２を具備している。加算器１０７１は、ディジタル信号である振幅データと制御部１０８からのディジタル信号である直流成分補正値とを加算してディジタル信号である加算振幅データを生成してＤＡ変換器１０７２に与える。加算器１０７１は、振幅データと直流成分補正値とを加算することにより振幅データの直流成分を調整する。ＤＡ変換器１０７２は、加算器１０７１からの加算振幅データをディジタルアナログ変換してアナログ信号である振幅データを生成して振幅変調部１０３に与える。ＤＡ変換器１０７２は、直流成分が調整された振幅データを生成して振幅変調部１０３に与える。
【００４７】
制御部１０８は、予め複数の直流成分補正値を保持している。操作部１０９は、操作者が制御部１０８の複数の直流成分補正値のいずれかを選択して直流成分調整部１０７に与えるための値操作信号を入力するためのものである。
【００４８】
図５は、直流成分調整部１０７の他の実施例を示すブロック図である。図５に示す直流成分調整部１０７は、振幅データがアナログ信号である場合のものである。
【００４９】
図５に示すように、直流成分調整部１０７は、ＤＡ変換器１０７３及び加算器１０７４を具備している。ＤＡ変換器１０７３は、制御部１０８からのディジタル信号である直流成分補正値をディジタルアナログ変換してアナログ信号である直流成分補正値を加算器１０７４に与える。
【００５０】
加算器１０７４は、アナログ信号である振幅データとＤＡ変換器１０７３からのアナログ信号である直流成分補正値とを加算してアナログ信号である加算振幅データを生成して振幅変調部１０３に与える。加算器１０７４は、振幅データと直流成分補正値とを加算することにより振幅データの直流成分を調整する。
【００５１】
本発明の実施の形態１においては、振幅データの直流成分を調整することにより直流成分を最適化している。この直流成分を最適化とは、（１）振幅データそのものに直流成分誤差が含まれる場合におけるこの直流成分誤差を小さくし、かつ、（２）途中の信号処理（例えば、パルス幅変調処理）で振幅変調信号に直流成分誤差が混入する場合におけるこの直流成分誤差、及び、（３）非線形増幅部１０５の入出力特性に誤差があるためこの入出力特性の誤差が振幅データの直流成分誤差と等価な振る舞いをする場合におけるこの等価な直流成分誤差を相殺するような直流成分補正値を振幅データに付加することである。
【００５２】
このように、本発明の実施の形態１においては、振幅データの直流成分を調整するため、変調信号の歪みを低減することができる。
【００５３】
（実施の形態２）
次に、本発明の実施の形態２について、図面を参照して説明する。図６は、本発明の実施の形態２に係る送信装置の構成を示すブロック図である。本発明の実施の形態２においては、本発明の実施の形態１と同じ構成要素には同じ参照符号が付されて、その説明が省略される。
【００５４】
図６に示すように、本発明の実施の形態２に係る送信装置６００は、本発明の実施の形態１において、操作部１０９を削除し、フィルタ６０１を追加し、かつ、制御部１０８の代わりに制御部６０２を有している。
【００５５】
すなわち、本発明の実施の形態２に係る送信装置６００は、送信データ入力端子１０１、１０２、振幅変調部１０３、位相変調部１０４、非線形増幅部１０５、送信出力端子１０６、直流成分調整部１０７、フィルタ６０１及び制御部６０２を有している。
【００５６】
直流成分抽出手段としてのフィルタ６０１は、ローパスフィルタ（ＬＰＦ）で構成されている。フィルタ６０１は、直流成分調整部１０７からの振幅データの直流成分を抽出して抽出直流成分を制御部６０２に与える。制御部６０２は、フィルタ６０１からの抽出直流成分を受けてこの抽出直流成分の信号レベルを小さくするように振幅データの直流成分を調整するための直流成分補正値を生成して直流成分調整部１０７に与える。
【００５７】
すなわち、制御部６０２及び直流成分調整部１０７は、フィルタ６０１からの抽出直流成分の信号レベルを小さくするように振幅データの直流成分を調整している。
【００５８】
次に、本発明の実施の形態２に係る制御部６０２の具体的な実施例について、図面を参照して詳細に説明する。
【００５９】
図７は、本発明の実施の形態２に係る制御部６０２の構成を示すブロック図である。図８は、本発明の実施の形態２に係る制御部６０２の動作の１例を説明するためのフロー図である。
【００６０】
図７に示すように、制御部６０２は、絶対値化演算部６０２１、第１のメモリ装置６０２２、比較器６０２３、第２のメモリ装置６０２４、カウンタ６０２５、セレクタ６０２６及び制御器６０２７を有している。
【００６１】
絶対値化演算部６０２１の入力端子は、フィルタ６０１の出力端子に接続されている。第１のメモリ装置６０２２の入力端子は、絶対値化演算部６０２１の出力端子に接続されている。比較器６０２３の２つの入力端子は、絶対値化演算部６０２１及び第１のメモリ装置６０２２の出力端子に接続されている。第２のメモリ装置６０２４の入力端子は、比較器６０２３及びカウンタ６０２５の出力端子に接続されている。セレクタ６０２６の２つの入力端子は、第２のメモリ装置６０２４及びカウンタ６０２５の出力端子に接続されている。
【００６２】
制御器６０２７は、絶対値化演算部６０２１、第１のメモリ装置６０２２、比較器６０２３、第２のメモリ装置６０２４、カウンタ６０２５及びセレクタ６０２６に接続されており、これらを制御する。
【００６３】
絶対値化演算部６０２１は、フィルタ６０１からの抽出直流成分を受けてこの抽出直流成分の絶対値（直流値）を生成する。制御部６０２は、直流成分調整部１０７に与えるディジタル値である直流成分補正値を予め決められた補正範囲で変化させる。例えば、直流成分補正値が８ビットのディジタル値である場合に、カウンタ６０２５が保持する直流成分補正値を−１２７から＋１２７の範囲で変化させる。
【００６４】
カウンタ６０２５が保持する直流成分補正値を変化させてセレクタ６０２６がこの直流成分補正値を直流成分調整部１０７に与えると、直流成分調整部１０７により振幅データの直流成分が変化する。この振幅データの直流成分は、フィルタ６０１で抽出されて絶対値化演算部６０２１に入力される。
【００６５】
さらに、振幅データの直流成分は、絶対値化演算部６０２１で符号なしの直流値化される。これ以降には、この直流値の大小を比較器６０２３が調べる。直流成分補正値を変化させながら、絶対値化演算部６０２１の出力の直流値の最小値を第１のメモリ装置６０２２が記憶し、絶対値化演算部６０２１の出力の直流値の最小値である時の直流成分補正値を探し出して第２のメモリ装置６０２４が記憶する。
【００６６】
例えば、まず、制御器６０２７は直流成分補正値を−１２７セット（初期化）し、その時の直流成分補正値を第２のメモリ装置６０２４が記憶し、かつ、絶対値化演算部６０２１の出力の直流値を第１のメモリ装置６０２２が記憶しておく。
【００６７】
次に、制御器６０２７は直流成分補正値に＋１し（カウンタの値を１だけカウントアップし）、その時に比較器６０２３は絶対値化演算部６０２１の出力の直流値が前に記憶した直流値（第１のメモリ装置６０２２の直流値）より小さいと判断した時には、その時におけるカウンタ６０２５に保持されている直流成分補正値を第２のメモリ装置６０２４に記憶させ直し、かつ、絶対値化演算部６０２１の出力の直流値を第１のメモリ装置６０２２に記憶させ直す。
【００６８】
制御器６０２７が、カウンタ６０２５が保持している直流成分補正値を−１２７から＋１２７の範囲で変化させながら、前述の動作を繰り返すと、絶対値化演算部６０２１の出力の直流値の最小値を第１のメモリ装置６０２２が記憶し、かつ、絶対値化演算部６０２１の出力の直流値の最小値になる直流成分補正値を第２のメモリ装置６０２４が記憶する。制御器６０２７が絶対値化演算部６０２１の出力の直流値が最小値になる直流成分補正値を探し出した場合には、セレクタ６０２６は第２のメモリ装置６０２４に記憶した直流成分補正値を選択して直流成分調整部１０７に与える。このようにして、振幅データの直流成分の最小化が完了する。
【００６９】
次に、本発明の実施の形態２に係る制御部６０２の動作の１例について、図７と共に図８を参照してより詳細に説明する。
【００７０】
ステップＳＴ８０１においてセレクタ６０２６がカウンタ６０２５の出力を選択して直流成分調整部１０７に与え、制御器６０２７がカウンタ６０２５を初期化する（ステップＳＴ８０２）。次に、第２のメモリ装置６０２４がカウンタ６０２５の出力を記憶し（ステップＳＴ８０３）、第１のメモリ装置６０２２が絶対値化演算部６０２１の出力を記憶する（ステップＳＴ８０４）。
【００７１】
次に、制御器６０２７がカウンタ６０２５の値を１だけカウントアップし（ステップＳＴ８０５）、絶対値化演算部６０２１の出力をＡとし第１のメモリ装置６０２２の出力をＢとした場合に比較器６０２３がＡ＜Ｂであるか否かを比較する（ステップＳＴ８０６）。
【００７２】
ステップＳＴ８０６においてＡ＜Ｂである時には、第２のメモリ装置６０２４がカウンタ６０２５の出力を記憶し（ステップＳＴ８０７）、第１のメモリ装置６０２２が絶対値化演算部６０２１の出力を記憶し（ステップＳＴ８０８）、ステップＳＴ８０９へ行く。また、ステップＳＴ８０６においてＡ＜Ｂでない時には、ステップＳＴ８０９へ行く。
【００７３】
ステップＳＴ８０９において制御器６０２７は、カウンタ６０２５が所定回数のカウントアップを終了したか否かを判断する。ステップＳＴ８０９においてカウンタ６０２５が所定回数のカウントアップを終了していない時には、ステップＳＴ８０５へ戻る。ステップＳＴ８０９においてカウンタ６０２５が所定回数のカウントアップを終了した時には、セレクタ６０２６が第２のメモリ装置６０２４の出力を選択して出力する（ステップＳＴ８１０）。セレクタ６０２６は、出力を直流成分調整部１０７に与える。
【００７４】
なお、本発明の実施の形態２において、フィルタ６０１は、直流成分調整部１０７からの振幅データの直流成分の代わりに振幅変調部１０３からの振幅変調信号の直流成分を抽出してこの抽出直流成分を制御部６０２に与えるように構成してもよい。この場合には、振幅変調部１０３で発生する直流成分の誤差も含めて最小化することができる。
【００７５】
なお、本発明の実施の形態２において、フィルタ６０１は、抽出直流成分の信号レベルの誤差を検出するＡＤ変換器を有するように構成してもよい。
【００７６】
このように、本発明の実施の形態２においては、フィルタ６０１からの抽出直流成分の信号レベルを小さくするように振幅データの直流成分を調整するため、振幅データそのものに直流成分の誤差が含まれる場合におけるこの直流成分誤差を小さくすることができるから、変調信号の歪みを低減することができる。
【００７７】
（実施の形態３）
次に、本発明の実施の形態３について、図面を参照して説明する。図９は、本発明の実施の形態３に係る送信装置の構成を示すブロック図である。本発明の実施の形態３においては、本発明の実施の形態２と同じ構成要素には同じ参照符号が付されて、その説明が省略される。
【００７８】
図９に示すように、本発明の実施の形態３に係る送信装置９００は、本発明の実施の形態２において、フィルタ６０１及び制御部６０２の代わりにフィルタ９０１及び制御部９０２を有する。
【００７９】
すなわち、本発明の実施の形態３に係る送信装置９００は、送信データ入力端子１０１、１０２、振幅変調部１０３、位相変調部１０４、非線形増幅部１０５、送信出力端子１０６、直流成分調整部１０７、フィルタ９０１及び制御部９０２を有している。
【００８０】
特定周波数成分抽出手段としてのフィルタ９０１は、バンドパスフィルタで構成されている。フィルタ９０１は、非線形増幅部１０５の出力信号から希望波の帯域以外の特定の周波数成分を抽出して抽出周波数成分を生成して制御部９０２に与える。制御部９０２は、フィルタ９０１からの抽出周波数成分を受けてこの抽出周波数成分の信号レベルを小さくするように振幅データの直流成分を調整するための直流成分補正値を生成して直流成分調整部１０７に与える。制御部９０２及び直流成分調整部１０７は、フィルタ９０１からの抽出周波数成分の信号レベルを小さくするように振幅データの直流成分を調整する。
【００８１】
次に、本発明の実施の形態３に係る制御部９０２の具体的な実施例について、図面を参照して詳細に説明する。
【００８２】
図１０は、本発明の実施の形態３に係る制御部９０２の構成を示すブロック図である。図１１は、本発明の実施の形態３に係る制御部９０２の動作の１例を説明するためのフロー図である。
【００８３】
図１０に示すように、制御部９０２は、本発明の実施の形態２に係る制御部６０２において、平滑化フィルタ９０２１を追加してなる。すなわち、制御部９０２は、絶対値化演算部６０２１、第１のメモリ装置６０２２、比較器６０２３、第２のメモリ装置６０２４、カウンタ６０２５、セレクタ６０２６、平滑化フィルタ９０２１及び制御器６０２７を有している。
【００８４】
平滑化フィルタ９０２１の入力端子は、絶対値化演算部６０２１の出力端子に接続されている。平滑化フィルタ９０２１の出力端子は、第１のメモリ装置６０２２及び比較器６０２３の入力端子に接続されている。平滑化フィルタ９０２１の制御端子は、制御器６０２７に接続されている。
【００８５】
絶対値化演算部６０２１はフィルタ９０１からの抽出周波数成分を全波整流して平滑化フィルタ９０２１に与え、この平滑化フィルタ９０２１は抽出周波数成分を直流化して直流値を生成する。本発明の実施の形態３に係る制御部９０２の他の構成は、本発明の実施の形態２に係る制御部６０２と同じである。
【００８６】
図１１に示すフロー図は、図８に示すフロー図におけるステップＳＴ８０４、ステップＳＴ８０６及びステップＳＴ８０８の代わりにステップＳＴ１１０１、ＳＴ１１０２、ＳＴ１１０３を有する。
【００８７】
ステップＳＴ１１０１、ＳＴ１１０３においては、第１のメモリ装置６０２２が平滑化フィルタ９０２１の出力を記憶する。ステップＳＴ８０５の次に、ステップＳＴ１１０２において平滑化フィルタ９０２１の出力をＣとし第１のメモリ装置６０２２の出力をＤとした場合に比較器６０２３がＣ＜Ｄであるか否かを比較する。
【００８８】
ステップＳＴ１１０２においてＣ＜Ｄである時には、ステップＳＴ８０７へ行く。また、ステップＳＴ１１０２においてＣ＜Ｄでない時には、ステップＳＴ８０９へ行く。
【００８９】
このように、本発明の実施の形態３においては、フィルタ９０１が非線形増幅部１０５の出力信号から希望波の帯域以外の特定の周波数成分を抽出して抽出周波数成分を生成し、この抽出周波数成分の信号レベルを小さくするように振幅変調データの直流成分を調整することにより直流成分を最適化している。
【００９０】
この直流成分を最適化とは、（１）振幅データそのものに直流成分誤差が含まれる場合におけるこの直流成分誤差を小さくし、かつ、（２）途中の信号処理（例えば、パルス幅変調処理）で振幅変調信号に直流成分誤差が混入する場合におけるこの直流成分誤差、及び、（３）非線形増幅部の入出力特性に誤差があるためこの入出力特性の誤差が振幅データの直流成分誤差と等価な振る舞いをする場合におけるこの等価な直流成分誤差を相殺するような直流成分補正値を振幅データに付加することである。
【００９１】
（実施の形態４）
次に、本発明の実施の形態４について、図面を参照して説明する。図１２は、本発明の実施の形態４に係る送信装置の構成を示すブロック図である。本発明の実施の形態４においては、本発明の実施の形態３と同じ構成要素には同じ参照符号が付されて、その説明が省略される。
【００９２】
図１２に示すように、本発明の実施の形態４に係る送信装置１２００は、本発明の実施の形態３において、ローカル信号生成器１２０１、ミキサ１２０２を追加してなる。
【００９３】
すなわち、本発明の実施の形態４に係る送信装置１２００は、送信データ入力端子１０１、１０２、振幅変調部１０３、位相変調部１０４、非線形増幅部１０５、送信出力端子１０６、直流成分調整部１０７、ローカル信号生成器１２０１、ミキサ１２０２、フィルタ９０１及び制御部９０２を有している。
【００９４】
ローカル信号生成器１２０１は、ローカル信号を生成してミキサ１２０２に与える。ミキサ１２０２は、非線形増幅部１０５の出力信号（ＲＦ信号）とローカル信号生成器１２０１からのローカル信号とを合成して合成信号を生成する合成手段を構成している。
【００９５】
特定周波数成分抽出手段としてのフィルタ９０１は、本発明の実施の形態３と同じものである。フィルタ９０１は、ミキサ１２０２からの合成信号から希望波の帯域以外の特定の周波数成分を抽出して抽出周波数成分を生成して制御部９０２に与える。制御部９０２は、本発明の実施の形態３と同じものである。
【００９６】
本発明の実施の形態４は、本発明の実施の形態３と同じ効果を有し、かつ、ミキサ１２０２が非線形増幅部１０５の出力信号とローカル信号生成器１２０１からのローカル信号とを合成して合成信号を生成してフィルタ９０１に与えているため、抽出周波数成分の生成のための装置を簡単化することができる。
【産業上の利用可能性】
【００９７】
本発明は、振幅データ及び位相データを変調して振幅変調信号及び位相変調信号を生成しこれらの振幅変調信号及び位相変調信号を合成して送信する送信装置に有用である。
【図面の簡単な説明】
【００９８】
【図１】本発明の実施の形態１に係る送信装置の構成を示すブロック図
【図２】本発明の実施の形態１に係る送信装置の振幅変調部の構成を示すブロック図
【図３】本発明の実施の形態１に係る送信装置の位相変調部の構成を示すブロック図
【図４】本発明の実施の形態１に係る送信装置の直流成分調整部の構成を示すブロック図
【図５】本発明の実施の形態１に係る送信装置の直流成分調整部の他の実施例の構成を示すブロック図
【図６】本発明の実施の形態２に係る送信装置の構成を示すブロック図
【図７】本発明の実施の形態２に係る送信装置の制御部の構成を示すブロック図
【図８】本発明の実施の形態２に係る制御部の動作の１例を説明するためのフロー図
【図９】本発明の実施の形態３に係る送信装置の構成を示すブロック図
【図１０】本発明の実施の形態３に係る送信装置の制御部の構成を示すブロック図
【図１１】本発明の実施の形態３に係る制御部の動作の１例を説明するためのフロー図
【図１２】本発明の実施の形態４に係る送信装置の構成を示すブロック図
【図１３】第１従来例の送信装置の構成を示すブロック図
【図１４】第２従来例の送信装置の構成を示すブロック図
【符号の説明】
【００９９】
１００、６００、９００、１２００  送信装置
１０１、１０２  送信データ入力端子
１０３  振幅変調部
１０４  位相変調部
１０５  非線形増幅部
１０６  送信出力端子
１０７  直流成分調整部
６０１、９０１  フィルタ
６０２、９０２  制御部
１２０１  ローカル信号生成器
１２０２  ミキサ
【図１】
2005260861.tif 000003
【図２】
2005260861.tif 000004
【図３】
2005260861.tif 000005
【図４】
2005260861.tif 000006
【図５】
2005260861.tif 000007
【図６】
2005260861.tif 000008
【図７】
2005260861.tif 000009
【図８】
2005260861.tif 000010
【図９】
2005260861.tif 000011
【図１０】
2005260861.tif 000012
【図１１】
2005260861.tif 000013
【図１２】
2005260861.tif 000014
【図１３】
2005260861.tif 000015
【図１４】
2005260861.tif 000016